【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
ＹＯ２及びＸ２Ｏ３を含有するＭＦＩ、ＭＥＬ及び／又はＮＷＷ−型骨格構造を有するゼオライト材料の製造方法であって、
（１）１種以上のＹＯ２源、１種以上のＸ２Ｏ３源、及び１種以上の溶剤を含む混合物を調製する工程
（２）工程（１）で得られた混合物を結晶化して、ＭＦＩ、ＭＥＬ及び／又はＮＷＷ−型骨格構造を有するゼオライト材料を得る工程、及び
（３）工程（２）で得られたゼオライト材料に、アルカリ土類金属から選択される１種以上の元素を含浸させる工程を含み、且つ、
Ｙが４価の元素であり、Ｘが３価の元素であり、そして工程（２）で結晶化された混合物が、１００質量％のＹＯ２に対して３質量％以下の１種以上の元素Ｍ（Ｍはナトリウムを表す）を含むことを特徴とする製造方法。
【請求項２】
工程（２）で結晶化された混合物が、１００質量％のＹＯ２に対して１質量％以下の１種以上の元素Ｍを含む請求項１に記載の製造方法。
【請求項３】
元素Ｍがナトリウム及びカリウムを表す請求項１又は２に記載の製造方法。
【請求項４】
工程（３）において、ゼオライト材料に、Ｍｇ、Ｃａ、Ｂａ、Ｓｒ及びこれらの２種以上の混合物から選択される１種以上の元素を含浸させる請求項１〜３のいずれか１項に記載の製造方法。
【請求項５】
工程（１）で調製された混合物のＹＯ２：Ｘ２Ｏ３のモル比が１０〜１５００の範囲にある請求項１〜４のいずれか１項に記載の製造方法。
【請求項６】
ＹがＳｉ、Ｓｎ、Ｔｉ、Ｚｒ、Ｇｅ、及びこれらの２種以上の混合物から選択される請求項１〜５のいずれか１項に記載の製造方法。
【請求項７】
ＸがＡｌ、Ｂ、Ｉｎ、Ｇａ、及びこれらの２種以上の混合物から選択される請求項１〜６のいずれか１項に記載の製造方法。
【請求項８】
１種以上の溶剤が１種以上の極性溶剤を含む請求項１〜７のいずれか１項に記載の製造方法。
【請求項９】
工程（１）の混合物が１種以上の有機テンプレートを含む請求項１〜８のいずれか１項に記載の製造方法。
【請求項１０】
１種以上の有機テンプレートが、テトラエチルアンモニウム化合物、トリエチルプロピルアンモニウム化合物、ジエチルジプロピルアンモニウム化合物、エチルトリプロピルアンモニウム化合物、テトラプロピルアンモニウム化合物、及びこれらの２種以上の混合物から選択される１種以上のテトラアルキルアンモニウム化合物を含む請求項９に記載の製造方法。
【請求項１１】
１種以上の有機テンプレートが、Ｎ−（Ｃ２−Ｃ５）−アルケニル−トリ−（Ｃ１-Ｃ５）アルキルアンモニウム化合物から選択される１種以上のアルケニルトリアルキルアンモニウム化合物を含む請求項９又は１０に記載の製造方法。
【請求項１２】
ＹＯ２に対する工程（１）で得られた混合物の１種以上の有機テンプレートの合計量のモル比が、１：（０．１〜３０）の範囲にある請求項９〜１１のいずれか１項に記載の製造方法。
【請求項１３】
工程（１）の混合物がさらに１種以上のＯＨ−源を含む請求項１〜１２のいずれか１項に記載の製造方法。
【請求項１４】
工程（１）で得られた混合物のＯＨ−：ＹＯ２のモル比が、０．０１〜５の範囲にある請求項１３に記載の製造方法。
【請求項１５】
工程（２）の結晶化が混合物の加熱を含む請求項１〜１４のいずれか１項に記載の製造方法。
【請求項１６】
工程（２）の結晶化がソルボサーマル条件下で行われる請求項１〜１５のいずれか１項に記載の製造方法。
【請求項１７】
工程（２）の結晶化が、混合物の少なくとも３時間の加熱を含む請求項１〜１６のいずれか１項に記載の製造方法。
【請求項１８】
工程（２）の後（３）の前に、さらに
（２ａ）工程（２）で得られた混合生成物のｐＨを５〜９の範囲のｐＨに調整する工程；及び／又は
（２ｂ）工程（２）で得られた混合生成物からゼオライト材料を単離する工程；及び／又は
（２ｃ）ゼオライト材料を洗浄する工程；及び／又は
（２ｄ）ゼオライト材料を乾燥及び／又はか焼する工程；及び／又は
（２ｅ）ゼオライト材料を水熱処理する工程； 
を含む請求項１〜１７のいずれか１項に記載の製造方法。
【請求項１９】
（２ｄ）のか焼が３００〜８５０℃の範囲の温度で行われる請求項１８に記載の製造方法。
【請求項２０】
（２ｅ）の水熱処理が自己生成圧力下で行われる請求項１８又は１９に記載の製造方法。
【請求項２１】
（２ｅ）の水熱処理が水性溶剤システムを用いて行われる請求項１８〜２０のいずれか１項に記載の製造方法。
【請求項２２】
（２ｅ）の水熱処理が加熱下に行われる請求項１８〜２１のいずれか１項に記載の製造方法。
【請求項２３】
（２ｅ）の水熱処理が２〜７２時間の範囲の期間で行われる請求項１８〜２２のいずれか１項に記載の製造方法。
【請求項２４】
（２ｅ）で得られた水熱処理ゼオライト材料が、１０．０質量％以下の吸水を示す請求項１８〜２３のいずれか１項に記載の製造方法。
【請求項２５】
工程（３）において、ゼオライト材料を、ゼオライト材料の総質量に対して０．１〜１５質量％の、アルカリ土類金属から選択される１種以上の元素に含浸させる請求項１〜２４のいずれか１項に記載の製造方法。
【請求項２６】
ＹＯ２及びＸ２Ｏ３を含有するＭＦＩ、ＭＥＬ及び／又はＮＷＷ−型骨格構造を有するゼオライト材料であって、
Ｙが４価の元素であり、Ｘが３価の元素であり、そして
当該ゼオライト材料が、１００質量％のＹＯ２に対して３質量％以下の１種以上の元素Ｍを含み、該Ｍがナトリウムであり、
当該ゼオライト材料が、さらにアルカリ土類金属から選択される１種以上の元素を含み、
当該ゼオライト材料の１次粒子の９５質量％以上が１μｍ以下の直径を有することを特徴とするゼオライト材料。
【請求項２７】
請求項１〜２５のいずれか１項に記載の製造方法により得ることができる、及び／又は得られた請求項２６に記載のゼオライト材料。
【請求項２８】
１次粒子の９０質量％以上が球状である請求項２６又は２７に記載のゼオライト材料。
【請求項２９】
１次粒子の９５質量％以上が５〜８００ｎｍの直径を有する請求項２６〜２８のいずれか１項に記載のゼオライト材料。
【請求項３０】
１００質量％のＹＯ２に対して１質量％以下の１種以上の元素Ｍを含む請求項２６〜２９のいずれか１項に記載のゼオライト材料。
【請求項３１】
Ｍがナトリウム及びカリウムを表す請求項２６〜３０のいずれか１項に記載のゼオライト材料。
【請求項３２】
ゼオライト材料にさらに含まれるアルカリ土類金属から選択される１種以上の元素が、ゼオライト材料の総質量に対して０．１〜１５質量％の範囲の量でゼオライト材料中に含まれている請求項２６〜３１のいずれか１項に記載のゼオライト材料。
【請求項３３】
ゼオライト材料にさらに含まれるアルカリ土類金属から選択される１種以上の元素が、Ｍｇ、Ｃａ、Ｂａ、Ｓｒ及びこれらの２種以上の混合物から選択される請求項２６〜３２のいずれか１項に記載のゼオライト材料。
【請求項３４】
当該ゼオライト材料のＹＯ２：Ｘ２Ｏ３の原子比が１０〜１５００の範囲にある請求項２６〜３３のいずれか１項に記載のゼオライト材料。
【請求項３５】
ＹがＳｉ、Ｓｎ、Ｔｉ、Ｚｒ、Ｇｅ、及びこれらの２種以上の混合物から選択される請求項２６〜３４のいずれか１項に記載のゼオライト材料。
【請求項３６】
ＸがＡｌ、Ｂ、Ｉｎ、Ｇａ、及びこれらの２種以上の混合物から選択される請求項２６〜３５のいずれか１項に記載のゼオライト材料。
【請求項３７】
当該ゼオライト材料がＺＳＭ−５を含む請求項２６〜３６のいずれか１項に記載のゼオライト材料。
【請求項３８】
当該ゼオライト材料の、ＤＩＮ６６１３１に従って決定されるＢＥＴ表面積が２００〜９００ｍ２／ｇの範囲にある請求項２６〜３７のいずれか１項に記載のゼオライト材料。
【請求項３９】
当該ゼオライト材料が、１０．０質量％以下の吸水を示す請求項２６〜３８のいずれか１項に記載のゼオライト材料。
【請求項４０】
（Ｉ）１種以上の酸素含有物質を含むガス流を供給する工程、
（ＩＩ）上記ガス流を請求項２６〜３９のいずれか１項に記載のゼオライト材料を含む触媒に接触させる工程、
を含む酸素含有物質をオレフィンに転化する方法。
【請求項４１】
工程（Ｉ）で供給されるガス流が、脂肪族アルコール、エーテル、カルボニル化合物、及びこれら２種以上の混合物から選択される１種以上の酸素含有物質を含む請求項４０に記載の方法。
【請求項４２】
工程（Ｉ）で供給されるガス流が、ガス流総容量に対して、３０〜１００容量％の酸素含有物質を含む請求項４０又は４１に記載の方法。
【請求項４３】
工程（Ｉ）で供給されるガス流が、ガス流総容量に対して、６０容量％以下の水を含む請求項４０〜４２のいずれか１項に記載の方法。
【請求項４４】
工程（ＩＩ）におけるガス流と触媒との接触が、２００〜７００℃の温度で行われる請求項４０〜４３のいずれか１項に記載の方法。
【請求項４５】
工程（ＩＩ）におけるガス流と触媒との接触が、０．１〜１０バールの圧力で行われる請求項４０〜４４のいずれか１項に記載の方法。
【請求項４６】
当該方法の少なくとも一部を連続モードで行う工請求項４０〜４５のいずれか１項に記載の方法。
【請求項４７】
工程（ＩＩ）におけるガス流の単位時間当たりの重量空間速度（ＷＨＳＶ）が０．５〜５０時間−１の範囲にある請求項４６に記載の方法。
【請求項４８】
請求項２６〜３９のいずれか１項に記載のゼオライト材料を、分子ふるい、触媒、触媒担体及び／又は吸着剤として使用する方法。